(57)【特許請求の範囲】
【請求項１】
測定対象体としてのケーブルの一端側に接続され広帯域に亘る高周波測定信号を当該ケーブルに出力する信号生成ユニットと、前記ケーブルの他端側に接続され前記出力された高周波測定信号に基づいて当該ケーブルの他端側に誘起する電圧の時間応答波形をサンプリングして当該ケーブルの広帯域周波数に対する伝送特性を測定する測定ユニットとを備え、
前記信号生成ユニットは、前記高周波測定信号に先立ってガイド信号を前記ケーブルに出力し、前記測定ユニットは、前記ガイド信号の受信を条件として前記伝送特性の測定を開始するケーブルの伝送特性測定装置であって、
前記信号生成ユニットは、前記ガイド信号と前記高周波測定信号とを一定の周期で繰り返し生成し、その１周期毎に当該ガイド信号と当該高周波測定信号との時間間隔を予め決められた単位時間ずつ増加若しくは減少させつつ前記ケーブルに出力し、前記測定ユニットは、前記各ガイド信号の受信時点から一定時間の経過時点で前記伝送特性の測定を開始し、当該測定において前記サンプリングしてディジタル化したディジタルデータを時間軸上で合成して前記伝送特性を測定することを特徴とするケーブルの伝送特性測定装置。
【請求項２】
前記信号生成ユニットは、前記ガイド信号の送信終了時点から所定時間を経過した時点で前記高周波測定信号を前記ケーブルに出力し、前記測定ユニットは、前記ガイド信号の受信終了時点から前記所定時間の経過前に前記伝送特性の測定を開始することを特徴とする請求項１記載のケーブルの伝送特性測定装置。
【請求項３】
前記測定ユニットは、測定開始要求信号を前記ケーブルに出力し、前記信号生成ユニットは、前記測定開始要求信号を受信した後に、前記ガイド信号および前記高周波測定信号の前記ケーブルへの出力を開始することを特徴とする請求項１または２に記載のケーブルの伝送特性測定装置。
【発明の詳細な説明】
【０００１】
【発明の属する技術分野】
本発明は、ＬＡＮケーブルシステムに用いられるＵＴＰ（非遮蔽ツイストペア）ケーブルなどの測定対象体についての広帯域周波数に対する減衰量等の伝送特性を測定するケーブルの伝送特性測定装置に関するものである。
【０００２】
【従来の技術】
この種のＵＴＰケーブルなどの測定対象体についての減衰量等の伝送特性は、一般的には、図４に示す構成の伝送特性測定装置３１を用いて測定されている。
【０００３】
伝送特性測定装置３１は、ＵＴＰケーブル３２内の２組のツイストペアケーブル３３ａ，３３ｂの各一端側（遠端側）に第１のコネクタ３を介して接続された信号生成ユニット３４と、ツイストペアケーブル３３ａ，３３ｂの各他端側（近端側）に第２のコネクタ５を介して接続された測定ユニット３５とを備えて構成されている。
【０００４】
信号生成ユニット３４は、ツイストペアケーブル３３ａ，３３ｂの内の一方のツイストペアケーブル３３ａに接続された受信部３６と、測定対象体としての他方のツイストペアケーブル３３ｂに接続された測定信号生成部１１とを備え、伝送特性測定に必要とされる周波数帯域を有する単一パルス信号の高周波測定信号Ｓｓをツイストペアケーブル３３ｂに出力する。この場合、受信部３６は、ツイストペアケーブル３３ａを介してガイド信号Ｓｇを受信し、その際に、トリガ信号ＳT2を生成して測定信号生成部１１に出力する。また、測定信号生成部１１は、受信部３６からトリガ信号ＳT2が入力された際に高周波測定信号Ｓｓを生成してツイストペアケーブル３３ｂに出力する。
【０００５】
測定ユニット３５は、ツイストペアケーブル３３ａに接続されたガイド信号生成部３７と、ツイストペアケーブル３３ｂに接続された測定部３８と、表示部１９とを備え、ツイストペアケーブル３３ｂの一端側に出力された高周波測定信号Ｓｓに基づいてその他端側に誘起した電圧（以下、「誘起電圧」ともいう）Ｖｓの時間応答波形をサンプリングすることによって測定対象体としてのツイストペアケーブル３３ｂの広帯域周波数に対する伝送特性を測定する。この場合、ガイド信号生成部３７は、測定部３８から起動信号ＳS1が入力された際にガイド信号Ｓｇを生成してツイストペアケーブル３３ａの他端側に出力する。測定部３８は、測定者からの測定開始指示を受け付けた際に起動信号ＳS1を生成する。また、測定部３８は、起動信号ＳS1を生成してから所定時間内にツイストペアケーブル３３ｂの他端側に誘起した誘起電圧Ｖｓの時間応答波形をサンプリングし、サンプリングによって得られた測定データをＦＦＴ演算することによって周波数変換する。さらに、測定部３８は、周波数変換したデータに基づき、測定対象体としてのツイストペアケーブル３３ｂの広帯域周波数に対する伝送特性（例えば、周波数に対する減衰量の特性）を測定し、表示用データＤD を出力してツイストペアケーブル３３ｂの伝送特性を表示部１９に表示させる。また、表示部１９は、ＬＣＤパネル等のモニタで構成され、測定部３８から出力された表示用データＤD に基づいて伝送特性を表示する。
【０００６】
この伝送特性測定装置３１では、測定開始時には、測定部３８が起動信号ＳS1を生成してガイド信号生成部３７に出力する。次いで、ガイド信号生成部３７が、ガイド信号Ｓｇを生成してツイストペアケーブル３３ａの他端側に出力する。これにより、ガイド信号Ｓｇはツイストペアケーブル３３ａを介して信号生成ユニット３４の受信部３６に伝送される。この際に、受信部３６は、トリガ信号ＳT2を生成して測定信号生成部１１に出力する。次いで、測定信号生成部１１は、高周波測定信号Ｓｓを生成してツイストペアケーブル３３ｂに出力する。この場合、ツイストペアケーブル３３ｂの他端側には、高周波測定信号Ｓｓの出力に起因して、測定部３８による起動信号ＳS1の出力時から極く短時間だけ遅れて誘起電圧Ｖｓが発生する。測定部３８は、この誘起電圧Ｖｓの時間応答波形をサンプリングし、ＦＦＴ演算することによって測定対象体としてのツイストペアケーブル３３ｂの広帯域周波数に対する伝送特性を演算する。この後、測定部３８が伝送特性を表示させるための表示用データＤD を出力することにより、表示部１９が、測定対象体としてのツイストペアケーブル３３ｂの伝送特性を表示する。
【０００７】
このように、この伝送特性測定装置３１では、測定ユニット３５が、ツイストペアケーブル３３ａを介してガイド信号Ｓｇを信号生成ユニット３４に出力することにより、信号生成ユニット３４によるツイストペアケーブル３３ｂへの高周波測定信号Ｓｓの出力タイミングを制御している。このため、信号生成ユニット３４によるツイストペアケーブル３３ｂへの高周波測定信号Ｓｓの出力タイミングと測定ユニット３５によるサンプリング開始（測定開始）タイミングとを同期させることができ、これにより、ツイストペアケーブル３３ｂの一端側に出力された高周波測定信号Ｓｓに基づいてその他端側に誘起する誘起電圧Ｖｓをサンプリングすることができる。
【０００８】
【発明が解決しようとする課題】
ところが、この従来の伝送特性測定装置３１には、以下の問題点がある。すなわち、この伝送特性測定装置３１では、信号生成ユニット３４によるツイストペアケーブル３３ｂへの高周波測定信号Ｓｓの出力タイミングと、測定ユニット３５によるサンプリング開始のタイミングとを同期させるために、測定ユニット３５からツイストペアケーブル３３ａを介して信号生成ユニット３４にガイド信号Ｓｇを出力する必要がある。このため、ガイド信号Ｓｇを伝送するためには、測定対象体としてのツイストペアケーブル３３ｂ以外の専用ツイストペアケーブルを必要とする。したがって、従来の伝送特性測定装置３１には、ガイド信号Ｓｇを伝送するツイストペアケーブル３３ａに結線不良や断線が生じている場合に、ガイド信号Ｓｇを信号生成ユニット３４側に伝送することができないため、ツイストペアケーブル３３ｂの伝送特性が測定不能となるという問題点がある。また、測定不能の場合、ツイストペアケーブル３３ａ，３３ｂのいずれが不良なのかを直ちに特定するのが困難のため、その測定不能の原因を特定するために長時間を要するという問題もある。
【０００９】
本発明は、かかる問題点に鑑みてなされたものであり、測定対象体以外の専用ケーブルを用いることなく、信号生成ユニットによる高周波測定信号の出力タイミングと測定ユニットにおける測定開始タイミングとを確実に同期させてケーブルの伝送特性を正確に測定し得るケーブルの伝送特性測定装置を提供することを主目的とする。
【００１０】
【課題を解決するための手段】
上記目的を達成すべく請求項１記載のケーブルの伝送特性測定装置は、測定対象体としてのケーブルの一端側に接続され広帯域に亘る高周波測定信号を当該ケーブルに出力する信号生成ユニットと、前記ケーブルの他端側に接続され前記出力された高周波測定信号に基づいて当該ケーブルの他端側に誘起する電圧の時間応答波形をサンプリングして当該ケーブルの広帯域周波数に対する伝送特性を測定する測定ユニットとを備え、前記信号生成ユニットは、前記高周波測定信号に先立ってガイド信号を前記ケーブルに出力し、前記測定ユニットは、前記ガイド信号の受信を条件として前記伝送特性の測定を開始するケーブルの伝送特性測定装置であって、前記信号生成ユニットは、前記ガイド信号と前記高周波測定信号とを一定の周期で繰り返し生成し、その１周期毎に当該ガイド信号と当該高周波測定信号との時間間隔を予め決められた単位時間ずつ増加若しくは減少させつつ前記ケーブルに出力し、前記測定ユニットは、前記各ガイド信号の受信時点から一定時間の経過時点で前記伝送特性の測定を開始し、当該測定において前記サンプリングしてディジタル化したディジタルデータを時間軸上で合成して前記伝送特性を測定することを特徴とする。
【００１１】
請求項２記載のケーブルの伝送特性測定装置は、請求項１記載のケーブルの伝送特性測定装置において、前記信号生成ユニットは、前記ガイド信号の送信終了時点から所定時間を経過した時点で前記高周波測定信号を前記ケーブルに出力し、前記測定ユニットは、前記ガイド信号の受信終了時点から前記所定時間の経過前に前記伝送特性の測定を開始することを特徴とする。
【００１３】
請求項３記載のケーブルの伝送特性測定装置は、請求項１または２に記載のケーブルの伝送特性測定装置において、前記測定ユニットは、測定開始要求信号を前記ケーブルに出力し、前記信号生成ユニットは、前記測定開始要求信号を受信した後に、前記ガイド信号および前記高周波測定信号の前記ケーブルへの出力を開始することを特徴とする。
【００１４】
【発明の実施の形態】
以下、添付図面を参照して、本発明に係るケーブルの伝送特性測定装置の好適な実施の形態について説明する。なお、従来の伝送特性測定装置３１と同一の構成、およびＵＴＰケーブル３２については同一の符号を付して、重複する説明を省略する。
【００１５】
最初に、伝送特性測定装置１の構成について、図１を参照して説明する。なお、以下、ＵＴＰケーブル３２におけるツイストペアケーブル３３ｂの減衰量特性の測定を例に挙げて説明するが、減衰量特性に限らず、インピーダンス特性やクロストーク特性などの伝送特性測定にも伝送特性測定装置１を適用することができる。
【００１６】
同図に示すように、伝送特性測定装置１は、信号生成ユニット４と測定ユニット６とを備えて構成されている。信号生成ユニット４は、ＵＴＰケーブル３２内の測定対象体としてのツイストペアケーブル３３ｂ（以下、「ケーブル３３ｂ」ともいう）の一端側（遠端側）に第１のコネクタ３を介して接続され、高周波測定信号Ｓｓをケーブル３３ｂに出力する。測定ユニット６は、ケーブル３３ｂの他端側（近端側）に第２のコネクタ５を介して接続され、高周波測定信号Ｓｓの出力に起因してケーブル３３ｂの他端側に誘起した誘起電圧Ｖｓの時間応答波形をサンプリングすることによってケーブル３３ｂの広帯域周波数に対する減衰量を測定する。
【００１７】
具体的には、信号生成ユニット４は、第１の双方向送信部７、コマンド受信部８、第１のタイミング制御部９、ガイド信号生成部１０、測定信号生成部１１、および信号合成部１２を備えている。この場合、第１の双方向送信部７は、第１のコネクタ３に接続され、ケーブル３３ｂを介して測定ユニット６から伝送される信号を受信してコマンド受信部８に出力すると共に、信号合成部１２から出力される信号をケーブル３３ｂに出力する。コマンド受信部８は、第１の双方向送信部７によって受信された信号に含まれている測定開始要求コマンド（測定開始要求信号）ＤCMを検出すると共にデコードし、信号生成開始信号ＳST2 を第１のタイミング制御部９に出力する。第１のタイミング制御部９は、信号生成開始信号ＳST2 を入力した際に、ガイド信号生成部１０にトリガ信号ＳT1を出力すると共に、トリガ信号ＳT1の出力開始時から所定時間Ｔ１を経過した時点で測定信号生成部１１にトリガ信号ＳT2を出力する。ガイド信号生成部１０は、トリガ信号ＳT1を入力した際に所定のパルス幅ＴPWのガイド信号Ｓｇを生成し、信号合成部１２に出力する。測定信号生成部１１は、トリガ信号ＳT2を入力した際に高周波測定信号Ｓｓを生成して信号合成部１２に出力する。なお、ガイド信号Ｓｇは、そのパルス幅ＴPWが高周波測定信号Ｓｓのパルス幅よりも十分に大きく設定されている。このため、そのパルス幅によって測定ユニット６側での両信号Ｓｇ，Ｓｓの互いの識別が可能となっている。また、信号合成部１２は、ガイド信号生成部１０および測定信号生成部１１によってそれぞれ出力されたガイド信号Ｓｇと高周波測定信号Ｓｓとを互いに合成して第１の双方向送信部７に出力する。この構成により、信号生成ユニット４は、測定開始要求コマンドＤCMが測定ユニット６から出力された際に、ガイド信号Ｓｇと高周波測定信号Ｓｓとをケーブル３３ｂに順次出力する。
【００１８】
測定ユニット６は、第２の双方向送信部１３、コマンド生成部１４、ガイド信号検出部１５、第２のタイミング制御部１６、ディジタイズ部１７、ＦＦＴ解析部１８、表示部１９、制御部２０および操作部２１を備えている。この場合、第２の双方向送信部１３は、第２のコネクタ５に接続され、コマンド生成部１４によって出力された信号をケーブル３３ｂに出力すると共に、ケーブル３３ｂを介して信号生成ユニット４によって伝送される信号を受信してガイド信号検出部１５およびディジタイズ部１７に出力する。コマンド生成部１４は、測定開始信号ＳST1 を入力した際に、測定開始要求コマンドＤCMを生成して第２の双方向送信部１３に出力する。ガイド信号検出部１５は、第２の双方向送信部１３から出力された信号のうちの所定パルス長を超える信号をガイド信号Ｓｇとして抽出すると共に、ガイド信号Ｓｇの立ち下がりエッジ（信号の最後尾部位）に同期させてトリガ信号ＳT3を生成して第２のタイミング制御部１６に出力する。第２のタイミング制御部１６は、ガイド信号検出部１５から出力されたトリガ信号ＳT3の立ち上がりエッジ（信号の先頭部位）を検出し、この立ち上がりエッジから予め設定された時間Ｔｄ（通常は、所定時間Ｔと等しい時間、または所定時間Ｔよりもやや短い時間）が経過した時点で、駆動信号Ｓｄをディジタイズ部１７に出力する。
【００１９】
また、ディジタイズ部１７は、アナログ−ディジタル変換器およびデータ記録用の内部メモリを備えて構成され、駆動信号Ｓｄが出力されている期間のみサンプリング用同期信号に同期して、ケーブル３３ｂの他端側に誘起される誘起電圧Ｖｓの時間応答波形をサンプリングしてディジタル化する。この場合、サンプリング用同期信号は、高周波測定信号Ｓｓに対するサンプリングを数回実行可能に、その周期が高周波測定信号Ｓｓのパルス幅に対して十分に短い時間に設定されている。また、ディジタイズ部１７は、誘起電圧Ｖｓをディジタル化してディジタルデータＤVSとしてＦＦＴ解析部１８に出力する。ＦＦＴ解析部１８は、例えばＤＳＰで構成され、予めプログラミングされた手順に従いディジタルデータＤVSをＦＦＴ演算処理すると共に、その演算結果に基づいて、広帯域周波数に対するケーブル３３ｂの減衰量等の伝送特性を演算し、その演算結果を表示させるための表示用データＤD を出力する。表示部１９は、ＬＣＤパネル等のモニタで構成され、ＦＦＴ解析部１８から出力される表示用データＤD に基づいて、測定者の操作に応じて、または自動的に伝送特性を表示する。制御部２０は、測定ユニット６の各構成要素を統括的に制御する。具体的には、制御部２０は、測定開始時におけるコマンド生成部１４に対する測定開始信号ＳST1 の出力処理、および操作部２１の操作によって入力された駆動信号Ｓｄについての時間Ｔｄやパルス幅の第２のタイミング制御部１６に対する設定処理などを実行する。操作部２１は、テンキーや操作スイッチを備え、上記した時間Ｔｄや駆動信号Ｓｄを入力可能に構成されている。
【００２０】
次いで、伝送特性測定装置１の全体的な動作について説明する。
【００２１】
制御部２０は、測定者による測定要求を受け付けた測定開始時には、測定開始信号ＳST1 をコマンド生成部１４に出力する。次に、コマンド生成部１４は、測定開始要求コマンドＤCMを生成し、第２の双方向送信部１３を介してケーブル３３ｂの他端側に出力する。その後、制御部２０は、ガイド信号検出部１５に対してガイド信号Ｓｇの抽出動作を開始させる。
【００２２】
一方、信号生成ユニット４側では、第１の双方向送信部７が、ケーブル３３ｂを介して入力した測定開始要求コマンドＤCMをコマンド受信部８に出力する。この際に、コマンド受信部８は、測定開始要求コマンドＤCMをデコードして信号生成開始信号ＳST2 を第１のタイミング制御部９に出力する。次いで、第１のタイミング制御部９は、図２に示すように、ガイド信号生成部１０にトリガ信号ＳT1を出力すると共に、トリガ信号ＳT1の立ち上がりエッジから所定時間Ｔ１を経過した時点で測定信号生成部１１にトリガ信号ＳT2を出力する。この場合、ガイド信号生成部１０は、同図に示すように、トリガ信号ＳT1の立ち上がりエッジに同期して所定のパルス幅ＴPWのガイド信号Ｓｇを生成して信号合成部１２に出力する。一方、測定信号生成部１１は、トリガ信号ＳT2の立ち上がりエッジに同期して高周波測定信号Ｓｓを生成して信号合成部１２に出力する。この際に、信号合成部１２は、入力したガイド信号Ｓｇと高周波測定信号Ｓｓとを合成して第１の双方向送信部７に出力する。次いで、第１の双方向送信部７が、同図に示すように、所定時間Ｔ（＝Ｔ１−ＴPW）の間隔を設けたガイド信号Ｓｇと高周波測定信号Ｓｓとからなるパルス列をケーブル３３ｂに出力する。
【００２３】
また、測定ユニット６では、第２の双方向送信部１３が、ケーブル３３ｂを介して入力したガイド信号Ｓｇをガイド信号検出部１５に出力する。次いで、ガイド信号検出部１５が、図２に示すように、ガイド信号Ｓｇの立ち下がりエッジに同期してトリガ信号ＳT3を生成して第２のタイミング制御部１６に出力する。次いで、第２のタイミング制御部１６が、トリガ信号ＳT3の立ち上がりエッジから時間Ｔｄが経過した時点で、予め設定されたパルス幅の駆動信号Ｓｄをディジタイズ部１７に出力する。この場合、ディジタイズ部１７は、ケーブル３３ｂの他端側における電圧を駆動信号Ｓｄが入力されている期間内だけサンプリングする。この場合、ケーブル３３ｂの他端側には、ガイド信号Ｓｇの立ち上がりエッジから所定時間Ｔ１（ガイド信号Ｓｇの立ち下がりエッジから所定時間Ｔ）だけ遅れて高周波測定信号Ｓｓに基づく誘起電圧Ｖｓが誘起される。したがって、ディジタイズ部１７は、誘起電圧Ｖｓを確実にサンプリングする。次いで、ディジタイズ部１７は、サンプリングしたデータをディジタルデータＤVSとしてＦＦＴ解析部１８に出力する。この後、ＦＦＴ解析部１８が、ディジタルデータＤVSをＦＦＴ演算することにより広帯域に亘る各周波数に対するケーブル３３ｂの減衰量を演算し、演算結果を表示用データＤD として表示部１９に出力する。この結果、表示部１９が、ＦＦＴ解析部１８によって演算された伝送特性を表示する。
【００２４】
このように、この伝送特性測定装置１によれば、測定対象体としてのケーブル３３ｂを介してガイド信号Ｓｇと高周波測定信号Ｓｓとを伝送するため、ガイド信号Ｓｇを伝送するための測定専用ケーブルを用いることなく信号生成ユニット４による高周波測定信号Ｓｓの出力タイミングと測定ユニット６における測定開始タイミングとを確実に同期させることができる結果、測定専用ケーブルの未結線や断線に起因する測定不能状態を回避しつつ、ケーブル３３ｂの伝送特性を正確に測定することができる。また、測定ユニット６が測定開始要求コマンドＤCMをケーブル３３ｂに出力し、信号生成ユニット４が測定開始要求コマンドＤCMを受信した後にガイド信号Ｓｇおよび高周波測定信号Ｓｓのケーブル３３ｂへの出力を開始することにより、測定ユニット６側で高周波測定信号Ｓｓの出力タイミングを遠隔制御することができる。
【００２５】
なお、本発明は、上記した発明の実施の形態に限定されない。例えば、高周波測定信号Ｓｓのパルス幅に対するディジタイズ部１７におけるサンプリング用同期信号の周期の比率を大きくすることもできる。つまり、サンプリング用同期信号の周波数を低く規定することもできる。具体的には、第１のタイミング制御部９がトリガ信号ＳT1の立ち下がりエッジに対して所定時間Ｔから単位時間ΔＴずつ増加（若しくは減少）させてトリガ信号ＳT2を測定信号生成部１１に所定周期ＴCYで出力する。これにより、図３に示すように、信号合成部１２が、ガイド信号Ｓｇと高周波測定信号Ｓｓとの時間間隔を単位時間ΔＴずつ増加（若しくは減少）させたパルス列を所定周期ＴCYで繰り返し出力する。この場合、単位時間ΔＴの時間長は、例えば、ディジタイズ部１７におけるサンプリング用同期信号の周期を信号生成ユニット４によるパルス列の出力数で除算した時間に設定される。
【００２６】
一方、測定ユニット６では、ガイド信号検出部１５が、ガイド信号Ｓｇを検出してトリガ信号ＳT3を出力する都度、第２のタイミング制御部１６が、トリガ信号ＳT3の立ち上がりエッジから時間Ｔｄ経過後にディジタイズ部１７に駆動信号Ｓｄを出力する。また、ディジタイズ部１７では、駆動信号Ｓｄが出力される都度、その駆動信号Ｓｄの立ち上がりエッジに同期して、パルス列の１周期ＴCY毎にケーブル３３ｂの他端側の誘起電圧Ｖｓ（Ｖs1，Ｖs2，Ｖs3，・・・）をそれぞれサンプリングしてディジタル化し、内部メモリにディジタルデータＤVS（ＤVS1 ，ＤVS2 ，ＤVS3 ，・・・）として記憶する。また、ディジタイズ部１７は、記憶したディジタルデータＤVS（ＤVS1 ，ＤVS2 ，ＤVS3 ，・・・）を時間軸上で合成してＦＦＴ解析部１８に出力する。この結果、測定ユニット６では、高い周波数のサンプリング用同期信号を用いてサンプリングする構成と同じ程度の高精度で誘起電圧Ｖｓをサンプリングすることができる。
【００２７】
また、信号生成ユニット４がガイド信号Ｓｇと高周波測定信号Ｓｓとの時間間隔を単位時間ΔＴずつ増加若しくは減少させたパルス列を所定周期ＴCYで繰り返し出力する構成に限らず、測定ユニット６におけるディジタイズ部１７のサンプリング開始タイミング（時間Ｔｄ）を単位時間ΔＴずつ増加若しくは減少させる構成を採用することもできる。この構成であっても、誘起電圧Ｖｓを高精度でサンプリングすることができる。さらに、本発明は、伝送特性測定装置１における各種信号の出力タイミングに限定されず、適宜変更することができる。例えば、伝送特性測定装置１では、各種信号の立ち上がりエッジに同期させて各種信号を生成しているが、各種信号の立ち下がりエッジに同期させて各種信号を生成してもよい。
【００２８】
【発明の効果】
以上のように、請求項１記載のケーブルの伝送特性測定装置によれば、信号生成ユニットが高周波測定信号に先立ってガイド信号をケーブルに出力し、測定ユニットがガイド信号の受信を条件として伝送特性の測定を開始することにより、測定対象体としてのケーブルを介してガイド信号と高周波測定信号とを伝送することができるため、ガイド信号を伝送するための専用ケーブルを用いることなく信号生成ユニットによる高周波測定信号の出力タイミングと測定ユニットにおける測定開始タイミングとを確実に同期させることができる。この結果、専用ケーブルの未結線や断線に起因する測定不能状態を回避しつつ、測定対象体としてのケーブルの伝送特性を正確に測定することができる。また、測定対象体としてのケーブル自体のみを使用してこのケーブルの伝送特性を測定することができるため、測定不能の状態が生じた場合であっても、測定対象体としてのケーブルの不良を直ちに判別することができる。
【００２９】
また、請求項２記載のケーブルの伝送特性測定装置によれば、信号生成ユニットが、ガイド信号と高周波測定信号とを一定の周期で繰り返し生成し、その１周期毎にガイド信号と高周波測定信号との時間間隔を予め決められた単位時間ずつ変化させつつケーブルに出力し、測定ユニットが、各ガイド信号の受信時点から一定時間の経過時点で伝送特性の測定を開始することにより、ケーブルの測定ユニット側に誘起する高周波測定信号に基づいてケーブルの伝送特性を高精度で測定することができる。
【００３０】
また、請求項３記載のケーブルの伝送特性測定装置によれば、測定ユニットが測定開始要求信号をケーブルに出力し、信号生成ユニットが測定開始要求信号を受信した後にガイド信号および高周波測定信号のケーブルへの出力を開始することにより、測定ユニット側で高周波測定信号の出力タイミングを遠隔制御することができる。
【図面の簡単な説明】
【図１】本発明の実施の形態に係る伝送特性測定装置１の構成を示すブロック図である。
【図２】図１におけるトリガ信号ＳT1、ガイド信号Ｓｇ、トリガ信号ＳT2、高周波測定信号Ｓｓ、パルス列、トリガ信号ＳT3および駆動信号Ｓｄの生成（出力）タイミングを説明するためのタイミングチャートである。
【図３】パルス列を繰り返し出力してケーブル３３ｂの伝送特性を測定する構成におけるそのパルス列の生成（出力）タイミングを説明するためのタイミングチャートである。
【図４】従来の伝送特性測定装置３１の構成を示すブロック図である。
【符号の説明】
１  伝送特性測定装置
４  信号生成ユニット
６  測定ユニット
８  コマンド受信部
９  第１のタイミング制御部
１０  ガイド信号生成部
１１  測定信号生成部
１２  信号合成部
１４  コマンド生成部
１５  ガイド信号検出部
１６  第２のタイミング制御部
１７  ディジタイズ部
１８  ＦＦＴ解析部
２０  制御部
３２  ＵＴＰケーブル
３３ｂ  ツイストペアケーブル
Ｓｇ  ガイド信号
Ｓｓ  高周波測定信号
Ｖｓ  誘起電圧
ΔＴ  単位時間
【図１】
0004472883.tif 000002
【図２】
0004472883.tif 000003
【図３】
0004472883.tif 000004
【図４】
0004472883.tif 000005